(57)【要約】【課題】  一対の縁部の間に存在する空間を利用して外側から部品を取り付けることが可能であることに加え、内側に存在する空間を有効に利用可能なフレーム部材を提供する。【解決手段】  フレームに使用されるフレーム部材１の壁部３は、外側に凸であり、一対の縁部７及び１１の間に存在する部品取付空間に対向する部分３３が曲面である。これにより、底面部５及び９が存在する平面２１から最も遠い点１３が一つだけである。そのため、仮想的なパイプ状の空間１５を容易に定めることができる。よって、フレーム部材１の内部空間を容易に活用することができる。さらに、壁部３の外面の面３５も曲面である。そのため、美観に優れたものとなるだけでなく、例えば、レール等として活用したり、ベンチなどでの人と接触する部分に使用したりすることができる。【選択図】  図１
2019152094.tif 000002
【特許請求の範囲】
【請求項１】
フレームに使用されるフレーム部材であって、
壁部と、
前記壁部の一方端において他方端の側に形成され、少なくとも外面の一部又は全部が平面である第１底面部と、
前記第１底面部の前記壁部に接しない側において内側に形成される第１縁部と、
前記壁部の前記他方端において前記一方端の側に形成され、少なくとも外面の一部又は全部が平面である第２底面部と、
前記第２平面部の前記壁部に接しない側において内側に形成される第２縁部を備え、
前記第１底面部の外面の一部又は全部の平面と前記第２底面部の外面の一部又は全部の平面は設置平面という同一平面上にあり、前記第１縁部と前記第２縁部との間には部品を取り付けるための部品取付空間が存在し、
前記壁部の内面は、外側に凸であって、少なくとも前記部品取付空間に対向する部分が曲面である、フレーム部材。
【請求項２】
前記壁部は、帯状であり、軸方向に垂直な面における断面において前記曲面の部分は円弧であり、
前記第１縁部の先端と前記第２縁部の先端は、前記円弧と同一円周上にある、請求項１記載のフレーム部材。
【請求項３】
当該フレーム部材の内側に挿入される装入物は、前記壁部の内面における曲面並びに前記第１縁部及び前記第２縁部によって支持される、請求項１又は２に記載のフレーム部材。
【請求項４】
前記壁部は、前記第１底面部及び前記第２底面部に接する部分が、前記設置平面に垂直である、請求項１から３のいずれかに記載のフレーム部材。
【請求項５】
前記壁部の外面は、外側に凸であり、少なくとも内面が曲面の部分に対応して曲面である、請求項１から４のいずれかに記載のフレーム部材。
【請求項６】
前記壁部は、帯状であり、
前記壁部の軸方向に垂直な断面において、少なくとも内面は、前記部品取付空間における一点における、前記設置平面の垂線と交わる点を含む一部又は全部が曲面である、請求項１から５のいずれかに記載のフレーム部材。
【請求項７】
前記壁部の内面及び／又は外面は、少なくとも、前記設置平面に平行な方向に最も幅が広い位置まで曲面である、請求項１から６のいずれかに記載のフレーム部材。
【請求項８】
前記壁部は、帯状であり、
軸方向に垂直な断面は、前記設置平面に平行な方向に最も広い幅と前記設置平面に垂直な方向に最も広い幅とが同じである、請求項１から７のいずれかに記載のフレーム部材。
【請求項９】
フレームに使用されるフレーム部材であって、
帯状の壁部と、
前記壁部の一方端において他方端の側に形成され、少なくとも外面の一部又は全部が平面である第１底面部と、
前記第１底面部の前記壁部に接続しない側において内側に形成される第１縁部と、
前記壁部の前記他方端において前記一方端の側に形成され、少なくとも外面の一部又は全部が平面である第２底面部と、
前記第２平面部の前記壁部に接続しない側において内側に形成される第２縁部を備え、
前記第１底面部の外面の一部又は全部の平面と前記第２底面部の外面の一部又は全部の平面は設置平面という同一平面上にあり、前記第１縁部と前記第２縁部との間には部品を取り付けるための部品取付空間が存在し、
軸方向に垂直な断面において、前記壁部の内面は、外側に凸であって、前記設置平面から最も遠い点が一つのみである、フレーム部材。
【発明の詳細な説明】
【技術分野】
【０００１】
本願発明は、フレームに使用されるフレーム部材に関する。
【背景技術】
【０００２】
特許文献１には、ビニルハウスのパイプ状骨部材等として使用されるフレーム部材として、断面視略正方形となるように金属板を折曲形成し、一対の縁部を内部に折り曲げて形成される溝孔部を設けるものが記載されている。この溝孔部には、ビニルシートを固定するためにフィルム押さえ板が嵌合可能である。
【先行技術文献】
【特許文献】
【０００３】
【特許文献１】特開２００８−５７９９号公報
【発明の概要】
【発明が解決しようとする課題】
【０００４】
しかしながら、特許文献１記載のフレーム部材における溝孔部は、外側からフィルム押さえ板を嵌合させるものである。このように、従来のフレーム部材は、専ら、外側から部品を取り付けるために溝孔部を形成することに着目するものであった。
【０００５】
そこで、本願発明は、一対の縁部の間に存在する空間を利用して外側から部品を取り付けることが可能であることに加え、内側に存在する空間を有効に利用可能なフレーム部材を提供することを目的とする。
【課題を解決するための手段】
【０００６】
本願発明の第１の観点は、フレームに使用されるフレーム部材であって、壁部と、前記壁部の一方端において他方端の側に形成され、少なくとも外面の一部又は全部が平面である第１底面部と、前記第１底面部の前記壁部に接しない側において内側に形成される第１縁部と、前記壁部の前記他方端において前記一方端の側に形成され、少なくとも外面の一部又は全部が平面である第２底面部と、前記第２平面部の前記壁部に接しない側において内側に形成される第２縁部を備え、前記第１底面部の外面の一部又は全部の平面と前記第２底面部の外面の一部又は全部の平面は設置平面という同一平面上にあり、前記第１縁部と前記第２縁部との間には部品を取り付けるための部品取付空間が存在し、前記壁部の内面は、外側に凸であって、少なくとも前記部品取付空間に対向する部分が曲面であるものである。
【０００７】
本願発明の第２の観点は、第１の観点のフレーム部材であって、前記壁部は、帯状であり、軸方向に垂直な面における断面において前記曲面の部分は円弧であり、前記第１縁部の先端と前記第２縁部の先端は、前記円弧と同一円周上にあるものである。
【０００８】
本願発明の第３の観点は、第１又は第２の観点のフレーム部材であって、当該フレーム部材の内側に挿入される装入物は、前記壁部の内面における曲面並びに前記第１縁部及び前記第２縁部によって支持される。
【０００９】
本願発明の第４の観点は、第１から第３のいずれかに観点のフレーム部材であって、前記壁部は、前記第１底面部及び前記第２底面部に接する部分が、前記設置平面に垂直である。
【００１０】
本願発明の第５の観点は、第１から第４のいずれかの観点のフレーム部材であって、前記壁部の外面は、外側に凸であり、少なくとも内面が曲面の部分に対応して曲面である。
【００１１】
本願発明の第６の観点は、第１から第５のいずれかの観点のフレーム部材であって、前記壁部は、帯状であり、前記壁部の軸方向に垂直な断面において、少なくとも内面は、前記部品取付空間における一点における、前記設置平面の垂線と交わる点を含む一部又は全部が曲面である。
【００１２】
本願発明の第７の観点は、第１から第６のいずれかの観点のフレーム部材であって、前記壁部の内面及び／又は外面は、少なくとも、前記設置平面に平行な方向に最も幅が広い位置まで曲面である。
【００１３】
本願発明の第８の観点は、第１から第７のいずれかの観点のフレーム部材であって、前記壁部は、帯状であり、軸方向に垂直な断面は、前記設置平面に平行な方向に最も広い幅と前記設置平面に垂直な方向に最も広い幅とが同じである。
【００１４】
本願発明の第９の観点は、フレームに使用されるフレーム部材であって、帯状の壁部と、前記壁部の一方端において他方端の側に形成され、少なくとも外面の一部又は全部が平面である第１底面部と、前記第１底面部の前記壁部に接続しない側において内側に形成される第１縁部と、前記壁部の前記他方端において前記一方端の側に形成され、少なくとも外面の一部又は全部が平面である第２底面部と、前記第２平面部の前記壁部に接続しない側において内側に形成される第２縁部を備え、前記第１底面部の外面の一部又は全部の平面と前記第２底面部の外面の一部又は全部の平面は設置平面という同一平面上にあり、前記第１縁部と前記第２縁部との間には部品を取り付けるための部品取付空間が存在し、軸方向に垂直な断面において、前記壁部の内面は、外側に凸であって、前記設置平面から最も遠い点が一つのみである。
【発明の効果】
【００１５】
本願発明の各観点によれば、第１底面部及び第２底面部が平面であり、第１縁部と第２縁部の間に部品取付空間が形成されていることから、従来と同様に、この部品取付空間と第１及び第２縁部を利用して部品を取り付けることが可能である。さらに、内面が外側に凸であり、第１縁部と第２縁部の間の部品取付空間に対向する位置が曲面であることにより、フレーム部材の内部の空間において、パイプ状の仮想空間を容易に定めることができる。例えば、特許文献１に記載されているように溝孔部に対向する内面が平面であると、その内部空間では、パイプ状の仮想空間が一定に定まらない。本願発明にあるように、部品取付空間に対向する内面を外側に凸な曲面とすることにより、パイプ状の仮想空間を容易に定めることができる。そのため、第２及び第３の観点にあるように、壁部の内面の点ではなく壁部の内面の曲面と、第１及び第２縁部によって装入物を支持することができ、内部空間を有効に利用することができる。
【００１６】
さらに、本願発明の第４の観点によれば、壁部において、第１及び第２底面部と接する部分を設置平面に垂直なものとすることにより、設置平面を使ってフレーム部材を固定して、壁部にかかる力を設置平面に垂直に伝えることができ、フレーム部材としての強度を増加させることができる。
【００１７】
さらに、本願発明の第５の観点によれば、壁部の外面の一部又は全部を曲面とすることにより、美観をすぐれたものとするとともに、部品取付空間を利用してボルトやナットなどで固定し、レール等として使用することも可能になる。
【００１８】
さらに、本願発明の第７の観点によれば、少なくとも最も広い幅までの内面を曲面とすることにより、内部のパイプ状の仮想空間を容易に定めるようにし、また、少なくとも最も広い幅までの外面を曲面とすることにより、美観に優れ、かつ、曲面を利用した応用範囲を大幅に広げることが可能になる。
【００１９】
さらに、本願発明の第８の観点によれば、断面を正方形に内接する形にすることにより、特許文献１などに記載の従来のフレーム部材と同様に使用することが可能になる。
【図面の簡単な説明】
【００２０】
【図１】（ａ）〜（ｃ）本願発明の実施の形態に係るフレーム部材１の軸方向に垂直な断面と、（ｄ）従来のフレーム部材の軸方向に垂直な断面を比較した図である。
【図２】（ａ）厚さ１．２ｍｍ、（ｂ）厚さ１．６ｍｍ、（ｃ）厚さ２．０ｍｍの鉄板を曲げ加工して作成した場合の軸方向に垂直な断面の一例を示す図である。
【図３】本願発明のフレーム部材を利用して作成したベンチの一例である。
【発明を実施するための形態】
【００２１】
以下、本願発明の実施の形態について説明する。なお、本願発明は、下記の実施例に限定されるものではない。
【実施例】
【００２２】
図１は、（ａ）〜（ｃ）本願発明の実施の形態に係るフレーム部材１の軸方向に垂直な断面と、（ｄ）従来のフレーム部材の軸方向に垂直な断面を比較した図である。フレーム部材１は、帯状のものであり、軸方向に垂直な断面は一定である。フレーム部材１は、壁部３（本願請求項の「壁部」の一例）と、第１底面部５（本願請求項の「第１底面部」の一例）と、第１縁部（本願請求項の「第１縁部」の一例）と、第２底面部９（本願請求項の「第２底面部」の一例）と、第２縁部（本願請求項の「第２縁部」の一例）を備える。
【００２３】
壁部３は、図１の上側では外側に凸な曲面であり、最も幅が広い部分で平面となり、第１底面部５及び第２底面部９につながる。そのため、壁部３は、全体として、外側に凸である。第１底面部５及び第２底面部９の外面は、同一平面上にある。第１底面部５と第２底面部９は、それぞれ、互いに向き合う部分において、フレーム部材１の内側に向かって、第１縁部７と第２縁部１１が形成されている。
【００２４】
第１縁部７と第２縁部１１との間には、空間が存在し、部品を取り付けることができる。そのため、ボルトやナットなどで、容易に固定することができる。第１縁部７と第２縁部１１との間の空間を、部品取付空間という。
【００２５】
図１（ｂ）を参照して、フレーム部材１の内側に形成される空間について具体的に説明する。フレーム部材１の内側において、部品取付空間と対向する壁部３の内面は、外側に凸な曲面である。そのため、第１底面部５と第２底面部９の外面が存在する平面から最も遠い点１３が一つのみ存在する。そのため、点１３を基準として、壁部３の内面を利用して、仮想的に、パイプ状の空間１５を容易に形成することができる。なお、仮想的に形成されるパイプ状の空間１５は、断面が円に限らず、楕円などであってもよい。そのため、パイプ状の部材の内部で使用されていた装入物を、第１縁部７と第２縁部１１と壁部３の内面の曲面によって支持することができ、フレーム部材１の内部に挿入して使用することが可能になる。
【００２６】
特許文献１に記載されているフレーム部材では、内部の空間を利用することはそもそも想定されていない。仮に装入物を挿入したとしても、部品取付空間に対向する部分が平面であるため、図１（ｄ）にあるように、内部のパイプ状の仮想空間を点で支持することとなる。その結果、一定のパイプ状の仮想空間を想定することができない。例えば、図１（ｄ）にあるように、複数の仮想的なパイプ状の空間４３、４５及び４７を想定することとなる。そのため、仮想的なパイプ状の空間を一定にできない。それに対し、本実施例によれば、壁部３の内面の曲面と第１縁部７と第２縁部１１によって一定のパイプ状の仮想空間を形成することができる。そのため、パイプ状の空間の内部に使用されてきたものと同様の装入物を利用して、フレーム部材１の内部空間を有効に活用することが可能になる。
【００２７】
図１（ｃ）を参照して、点１３の位置関係の一例を説明する。平面２１は、第１底面部５と第２底面部９の外面が存在する平面（本願請求項の「設置平面」の一例）である。平面２１が存在することにより、部品取付空間を利用してフレーム部材１を固定することなどが可能になる。点１３の平面２１に対する垂線２９の足である点２７は、第１縁部７の点２３と第２縁部１１の点２５を結ぶ線分上に存在する。壁部３の内面において、点１３を含む面３３が曲面である。また、内面の面３３に対応して、外面の面３５が曲面である。これにより、美観を優れたものとすることができる。さらに、曲面３５を利用して、例えば、レール等として活用したり、ベンチなどにおいて人が接触するような場所に使用したりすることができる（図３参照）。
【００２８】
図１（ｃ）にあるように、壁部３の内面において、平面２１から最も遠い点１３は一つである。また、点１３の平面２１に対する垂線２９の足である点２７は部品取付空間上にあり、フレーム部材１の内側において、点１３と部品取付空間は対向する。壁部３の内面において、点１３を含む面３３が曲面であり、少なくとも部品取付空間に対向する部分が曲面である。このように、平面２１から最も遠い点１３が一つであることから、この点１３を含む曲面３３を利用して、内部に仮想的なパイプ状空間を容易に形成して、フレーム部材１の内部空間を有効に活用することができる。
【００２９】
図２は、様々な厚さの鉄板を曲げ加工して作成した場合の軸方向に垂直な断面の一例を示す図である。（ａ）は厚さ１．２ｍｍのもの、（ｂ）は厚さ１．６ｍｍのもの、（ｃ）は厚さ２．０ｍｍのものである。このように、本願発明のフレーム部材は、曲げ加工を利用して作成することができる。
【００３０】
図３は、本願発明のフレーム部材を利用して作成したベンチの一例である。フレーム部材は、部品取付空間を利用して固定している。（ａ）は正面図及び背面図、（ｂ）は右側面図及び左側面図、（ｃ）は平面図である。（ｄ）は参考の斜視図である。図３にあるように、フレーム部材の外面が曲面を含むようにすることにより、人と接触するような部分にも安全に使用することが可能になる。
【符号の説明】
【００３１】
１  フレーム部材、３  壁部、５  第１底面部、７  第１縁部、９  第２底面部、１１  第２縁部、１３，２３，２５，２７，  点、１５，４３，４５，４７  仮想的なパイプ状の空間、２１  平面、２９  垂線、３３，３５  面
【図１】
2019152094.tif 000003
【図２】
2019152094.tif 000004
【図３】
2019152094.tif 000005
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
パイプ状骨部材、レール、又は、ベンチのフレームに使用されるフレーム部材であって、
壁部と、
前記壁部の一方端において他方端の側に形成され、少なくとも外面の一部又は全部が平面である第１底面部と、
前記第１底面部の前記壁部に接しない側において内側に形成される第１縁部と、
前記壁部の前記他方端において前記一方端の側に形成され、少なくとも外面の一部又は全部が平面である第２底面部と、
前記第２底面部の前記壁部に接しない側において内側に形成される第２縁部を備え、
前記第１底面部の外面の一部又は全部の平面と前記第２底面部の外面の一部又は全部の平面は設置平面という同一平面上にあり、前記第１縁部と前記第２縁部との間には部品を取り付けるための部品取付空間が存在し、
前記壁部の内面は、外側に凸であって、少なくとも前記部品取付空間に対向する部分が曲面であり、
前記壁部の外面は、外側に凸であり、少なくとも内面が曲面の部分に対応して曲面である、フレーム部材。
【請求項２】
前記壁部は、帯状であり、
軸方向に垂直な断面は、前記設置平面に平行な方向に最も広い幅と前記設置平面に垂直な方向に最も広い幅とが同じである、請求項１記載のフレーム部材。
【請求項３】
前記壁部は、前記第１底面部及び前記第２底面部に接する部分が、前記設置平面に垂直である、請求項１又は２記載のフレーム部材。
【請求項４】
前記壁部の軸方向に垂直な断面において、少なくとも内面は、前記部品取付空間における一点における、前記設置平面の垂線と交わる点を含む一部又は全部が曲面である、請求項１から３のいずれかに記載のフレーム部材。
【請求項５】
前記壁部の内面及び／又は外面は、少なくとも、前記設置平面に平行な方向に最も幅が広い位置まで曲面である、請求項１から４のいずれかに記載のフレーム部材。
【請求項６】
軸方向に垂直な断面において、前記壁部の内面は、外側に凸であって、前記設置平面から最も遠い点が一つのみである、請求項１から５のいずれかに記載のフレーム部材。